(57)【要約】【課題】強酸性または強アルカリ性に対する耐性を有し、構造強度が高いキャンドモーターポンプ装置を提供する。【解決手段】ベース１０と、定位ユニット２０と、モーターユニット３０と、ポンプ前蓋４０と、放熱蓋５０と、を具えたキャンドモーターポンプ装置であって、ベース１０は、プラスチック材料により作成されたものであり、第１の内孔を画成する環状部１１と、第１の内孔に連通する非円形の接合孔１２１を画成するカバー部１２と、を有し、定位ユニット２０は、金属材料により作成されたものであり、回転不能に接合孔１２１内に取り付けられ、内部に第１の内孔に連通する第２の内孔２１１が形成され、モーターユニット３０は、第１の内孔と第２の内孔２１１内に挿入するようにベース１０に取り付けられ、ポンプ前蓋４０は、ベース１０に取り付けられ、放熱蓋５０は、モーターユニット３０を覆うようにベース１０に取り付けられる。【選択図】図３
0003225328.tif 000002
【実用新案登録請求の範囲】
【請求項１】
ベースと、定位ユニットと、モーターユニットと、ポンプ前蓋と、放熱蓋と、を具えたキャンドモーターポンプ装置であって、
前記ベースは、プラスチック材料により作成されたものであり、所定の軸線と略直交する第１の側面と、前記第１の側面の反対側である第２の側面と、を有すると共に、前記軸線に沿って前記第１の側面から前記第２の側面まで延伸し、前記軸線と直交する断面が、円心を前記軸線が通過する円形になっている第１の内孔を画成する環状部と、前記軸線に沿って前記環状部の前記第２の側面に接続されると共に、内側に前記第１の内孔に連通し、且つ、前記軸線と直交する断面が非円形の接合孔を画成するカバー部と、を有し、
前記第２の側面には、前記第１の内孔の周縁から前記カバー部の付け根まで広がる中間部があり、
前記定位ユニットは、金属材料により作成されたものであり、前記ベースに対して回転不能に前記接合孔内に取り付けられ、且つ、内部に前記軸線に沿って延伸し、前記第１の内孔に連通する第２の内孔を有するように中空の筒状に形成されており、
前記モーターユニットは、前記第１の内孔及び前記第２の内孔内に挿入するように前記ベースに取り付けられるハウジングと、前記ハウジングと前記第１の内孔及び前記第２の内孔との間に嵌め込まれるステーターと、前記ハウジング内に取り付けられるローターと、前記ローターに接続される羽根車と、を有し、
前記ポンプ前蓋は、前記羽根車を覆っていると共に、前記ベースの前記第１の側面に取り付けられ、
前記放熱蓋は、前記定位ユニット及び前記モーターユニットを前記軸線に沿って定位するように前記ベースに取り付けられている
ことを特徴とするキャンドモーターポンプ装置。
【請求項２】
前記接合孔は、前記第１の内孔に連通すると共に、前記軸線と直交する断面の外周縁の輪郭が多辺形になっている第１の孔部と、前記第１の孔部の前記軸線と直交する横方向の一側にあって、該第１の孔部に連通すると共に、前記第１の孔部と連通する端部から幅が広がっていく蟻溝状の第２の孔部と、を有し、
前記定位ユニットは、前記軸線と直交する断面の外周縁の輪郭が前記第１の孔部に対応する形であり、内部に前記第２の内孔を有する定位本体と、前記軸線と直交する断面の輪郭が前記第２の孔部に対応する蟻ほぞであり、前記定位本体に接続される接続部と、を有するように形成されている
ことを特徴とする請求項１に記載のキャンドモーターポンプ装置。
【請求項３】
前記定位ユニットは、前記中間部に当接する第１の端面と、前記第１の端面の反対側にある第２の端面と、前記第２の内孔の開口の外側において該第２の内孔と間を空けるようにそれぞれ前記第１の端面と前記第２の端面に凹設されている２つの環状スロットと、を有し、
該キャンドモーターポンプ装置は、漏れ防止手段を更に具え、
前記漏れ防止手段は、前記２つの環状スロット内にそれぞれ嵌め込まれる２つの第１の漏れ防止環を有し、
前記放熱蓋は、前記第２の端面に当接している
ことを特徴とする請求項１に記載のキャンドモーターポンプ装置。
【請求項４】
前記ハウジングは、内部に前記ローターを収容する収容空間が画成されるようにカップ状に形成されると共に、前記第１の内孔及び前記第２の内孔内に挿入される中空筒と、前記中空筒から前記軸線と直交する方向へ張り出すフランジと、を有し、
前記ローターは、前記軸線に沿って延伸し、且つ、前記ハウジング内に固定される回転軸と、前記羽根車が固定接続されていると共に、前記回転軸に対して相対回転可能に前記回転軸に取り付けられているローター本体と、を有しており、
前記中空筒は、前記回転軸の一端部を受け入れて固定する軸転部を含み、
前記軸転部には、前記収容空間内へ突起する内延伸部と、前記内延伸部の延伸方向の逆方向へ延伸する外延伸部と、前記収容空間に連通し、前記内延伸部から前記外延伸部へ延伸して前記回転軸の一端部を受け入れるように凹設される軸孔と、を有し、
前記ハウジングの前記フランジは、前記ポンプ前蓋と前記ベースの前記第１の側面との間に挟まれており、
前記漏れ防止手段は、前記ポンプ前蓋と前記フランジとの間に挟まれている第２の漏れ防止環と、前記フランジと前記第１の側面との間に挟まれている第３の漏れ防止環と、を有する
ことを特徴とする請求項３に記載のキャンドモーターポンプ装置。
【請求項５】
前記放熱蓋は、前記第２の端面に当接する裏面と、前記裏面の反対側である表面と、前記軸線に沿って、前記表面から突出する凸部と、前記軸線に沿って、前記裏面から前記凸部へ延伸するよう凹設されるハウジング穴と、前記表面から突起するように前記凸部の周りに配置される複数の放熱フィンと、を有し、
前記モーターユニットの前記ハウジングは、前記ハウジング穴内に挿入されている
ことを特徴とする請求項４に記載のキャンドモーターポンプ装置。
【請求項６】
前記ハウジング穴は、前記ハウジングの前記中空筒に対応して収容する幅広部と、前記中空筒の前記外延伸部に対応して収容する幅狭部と、を有する
ことを特徴とする請求項５に記載のキャンドモーターポンプ装置。
【考案の詳細な説明】
【技術分野】
【０００１】
本考案は液体を運送するポンプに関し、具体的には、キャンドモーターポンプに関する。
【背景技術】
【０００２】
一般的なポンプはポンプとモーターとを別々に製造し、それらをカップリングして使用する。そのため、ポンプケースには、回転軸を通すための貫通孔が穿設される。ポンプを使用して液体を運送するとき、該貫通孔と回転軸との間にある隙間から、液体が外部へ漏れる可能性がある。そこで、液体のリークを防止するため、モーターとポンプとを同軸結合して一体的に製造するキャンドモーターポンプが提案されている。キャンドモーターポンプは、ポンプケースに回転軸を通すための貫通孔が形成されていないため、液体がポンプ内から外部へリークすることを防いでいる。
【０００３】
図１に示されているように、特許文献１には、ポンプケース１と、インペラ２と、カップ状の格納シェル３と、回転軸４と、キャンドモーター５と、を備えたキャンドモーターポンプが提案されている。該キャンドモーターポンプのキャンドモーター５は、モーターケース６と、モーターケース６に固定されたモーター後フレーム７と、モーターケース内に固定された固定子８と、格納シェルにより収容された回転子９と、を備える。モーターケース６のポンプ側には、フランジ部６ａを有し、格納シェル３の先端には、モーターケース６のフランジ部６ａ及びポンプケース１と接合可能なシェルフランジ部３ａを有する。シェルフランジ部３ａがモーターケース６のフランジ部６ａ及びポンプケース１と接合され、且つ、格納シェル３に孔がないことにより、運送液体がキャンドモーターポンプからリークすることを防ぐことができる。
【先行技術文献】
【特許文献】
【０００４】
【特許文献１】台湾特許第Ｉ４４１９８４号公報
【特許文献２】台湾特許第Ｉ３８１１００号公報
【考案の概要】
【考案が解決しようとする課題】
【０００５】
しかしながら、液体を運送するとき、キャンドモーターポンプの上方にある他の機器から液体がリークしてモーターケース６の上部にかかる可能性はある。また、運送された液体が強酸性または強アルカリ性など腐食性を有する場合であって、モーターケース６が金属材料により作成された場合には、モーターケース６が上部からの腐食性液体に腐食されやすい。一方、モーターケース６がプラスチック材料により作成された場合には、キャンドモーター５の運転による高温によりモーターケース６が変形及び劣化することで、構造強度が低くなる。
【０００６】
さらに、リークした腐食性液体が、モーターケース６とモーター後フレーム７との間にある隙間から滲入して固定子８を腐食すると、キャンドモーター５の故障を引き起こす可能性がある。
【０００７】
したがって、本考案は、上述の欠点を解決できるキャンドモーターポンプ装置を提供することを目的とする。
【課題を解決するための手段】
【０００８】
上記目的を達成するための手段として、本考案は、以下のキャンドモーターポンプ装置を提供する。
【０００９】
本考案に係るキャンドモーターポンプ装置は、
ベースと、定位ユニットと、モーターユニットと、ポンプ前蓋と、放熱蓋と、を具えたキャンドモーターポンプ装置であって、前記ベースは、プラスチック材料により作成されたものであり、所定の軸線と略直交する第１の側面と、前記第１の側面の反対側である第２の側面と、を有すると共に、前記軸線に沿って前記第１の側面から前記第２の側面まで延伸し、前記軸線が通過する断面が、円心に前記軸線が通過する円形になっている第１の内孔を画成する環状部と、前記軸線に沿って前記環状部の前記第２の側面に接続されると共に、内側に前記第１の内孔に連通し、且つ、前記軸線が通過する断面が非円形の接合孔を画成するカバー部と、を有し、前記第２の側面には、前記第１の内孔の周縁から前記カバー部の付け根まで広がる中間部があり、前記定位ユニットは、金属材料により作成されたものであり、前記ベースに対して回転不能に前記接合孔内に取り付けられ、且つ、内部に前記軸線に沿って延伸し、前記第１の内孔に連通する第２の内孔を有するように中空の筒状に形成されており、前記モーターユニットは、前記第１の内孔及び前記第２の内孔内に挿入するように前記ベースに取り付けられるハウジングと、前記ハウジングと前記第１の内孔及び前記第２の内孔との間に嵌め込まれるステーターと、前記ハウジング内に取り付けられるローターと、前記ローターに接続される羽根車と、を有し、前記ポンプ前蓋は、前記羽根車を覆っていると共に、前記ベースの前記第１の側面に取り付けられ、前記放熱蓋は、前記定位ユニット及び前記モーターユニットを前記軸線に沿って定位するように前記ベースに取り付けられている。
【考案の効果】
【００１０】
上記構成によれば、本考案に係るキャンドモーターポンプ装置は、ベースがプラスチック材料により作成されことにより、強酸性または強アルカリ性に対する耐性を得ることができる。また、定位ユニットが金属材料により作成されることにより、モーターの運転による高温に耐えることができる。そのため、従来より構造強度が高い。
【００１１】
本考案は上述の構成によって、強酸性または強アルカリ性に対する耐性を有し、且つ構造強度が高いキャンドモーターポンプ装置を提供することができる。
【図面の簡単な説明】
【００１２】
【図１】従来のキャンドモーターポンプの構成を示す断面図である。
【図２】本考案に係るキャンドモーターポンプ装置の一実施形態を示す斜視図である。
【図３】該実施形態の構成を示す分解斜視図である。
【図４】該実施形態の構成を示す断面図である。
【図５】図４の部分拡大図である。
【図６】図４におけるＶＩ−ＶＩ線の断面図である。
【考案を実施するための形態】
【００１３】
以下、本考案に係るキャンドモーターポンプ装置の一実施形態について、図面を参照して説明する。
【００１４】
図２と図３に示されているように、本実施形態は、ベース１０と、定位ユニット２０と、モーターユニット３０と、ポンプ前蓋４０と、放熱蓋５０と、漏れ防止手段６０と、を具える。
【００１５】
ベース１０は、プラスチック材料（例えば、ＰＰ、ＧＦＲＰＰ、ＰＶＤＦ、ＣＦＲＥＴＦＥなどの酸性またはアルカリ性に対する耐性を有するエンジニアリングプラスチック）により作成されたものであり、図２〜図５に示されているように、所定の軸線Ｌと略直交する第１の側面１１２と、第１の側面１１２の反対側である第２の側面１１３と、を有すると共に、第１の内孔１１１を画成する環状部１１と、軸線Ｌに沿って環状部１１の第２の側面１１３に接続されると共に、内側に第１の内孔１１１に連通し、且つ、軸線Ｌと直交する断面が非円形の接合孔１２１を画成するカバー部１２と、カバー部１２の底面に取り付けられた支持ベース１３と、を有する。
【００１６】
第１の内孔１１１は、軸線Ｌに沿って第１の側面１１２から第２の側面１１３まで延伸し、軸線Ｌと直交する断面が、円心に軸線Ｌが通過する円形になっている。そして、接合孔１２１は、第１の内孔１１１に連通すると共に、軸線Ｌと直交する断面の外周縁の輪郭が多辺形（本実施形態においては八角形である）になっている第１の孔部１２２と、第１の孔部１２２の軸線Ｌと直交する横方向の一側にあって、該第１の孔部１２２に連通すると共に、第１の孔部１２２と連通する端部から幅が広がっていく蟻溝状の第２の孔部１２３と、を有する。
【００１７】
また、環状部１１の第２の側面１１３には、第１の内孔１１１の周縁からカバー部１２の付け根まで広がる中間部１１４がある（図５参照）。つまり、接合孔１２１は、第１の内孔１１１より幅が大きい。なお、中間部１１４には、中間部１１４から第１の側面１１２へ延伸する複数の螺合孔１１５が形成されている。
【００１８】
図３〜図６に示されているように、定位ユニット２０は、金属材料により作成されたものであり、ベース１０に対して回転不能に接合孔１２１内に取り付けられている。定位ユニット２０は、軸線Ｌと直交する断面の外周縁の輪郭が第１の孔部１２２に対応する形であり、内側に第２の内孔２１１を有する定位本体２１と、軸線Ｌと直交する断面の輪郭が第２の孔部１２３に対応する蟻ほぞであり、定位本体２１に接続される接続部２２と、を有するように形成されている。該第２の内孔２１１は、軸線Ｌに沿って延伸し、第１の内孔１１１に連通している。
【００１９】
定位本体２１は、第１の孔部１２２に嵌め込まれており、接続部２２は、第２の孔部１２３に嵌め込まれている。
【００２０】
また、定位本体２１及び接続部２２は、中間部１１４に当接する第１の端面２３と、第１の端面２３の反対側にある第２の端面２４と、第２の内孔２１１の開口の外側において該第２の内孔２１１と間を空けるようにそれぞれ第１の端面２３と第２の端面２４に凹設されている２つの環状スロット２５と、中間部１１４にある螺合孔１１５の位置に対応するように穿設される複数の貫通孔２６と、を有する。
【００２１】
定位ユニット２０がベース１０に回転不能に取り付けられることにより、定位ユニット２０とベース１０との組立が安定する。また、プラスチック材料により作成されたベース１０により、強酸性または強アルカリ性に対する耐性を得ることができ、金属材料により作成された定位ユニット２０により、モーターユニット３０の運転による高温に耐えることができる。そのため、従来より構造強度が高くなる。
【００２２】
図３と図４に示されているように、モーターユニット３０は、第１の内孔１１１及び第２の内孔２１１内に挿入するようにベース１０に取り付けられるハウジング３１と、ハウジング３１と第１の内孔１１１及び第２の内孔２１１との間に嵌め込まれるステーター３２と、ハウジング３１内に取り付けられるローター３３と、ローター３３に接続される羽根車３４と、を有する。
【００２３】
ハウジング３１は、内部にローター３３を収容する収容空間３１３が画成されるようにカップ状に形成されると共に、第１の内孔１１１及び第２の内孔２１１内に挿入される中空筒３１１と、中空筒３１１から軸線Ｌと直交する方向へ張り出すフランジ３１２と、を有する。
【００２４】
ローター３３は、軸線Ｌに沿って延伸し、且つ、ハウジング３１内に固定されている回転軸３３１と、羽根車３４が固定接続されていると共に、回転軸３３１に対して相対回転可能に回転軸３３１に取り付けられているローター本体３３０と、を有する。
【００２５】
中空筒３１１は、回転軸３３１の一端部を受け入れて固定する軸転部３１４を含み、軸転部３１４には、収容空間３１３内へ突起する内延伸部３１５と、内延伸部３１５の延伸方向の逆方向へ延伸する外延伸部３１６と、収容空間３１３に連通し、内延伸部３１５から外延伸部３１６へ延伸して回転軸３３１の一端部を受け入れるように凹設される軸孔３１７と、を有する。
【００２６】
ポンプ前蓋４０は、羽根車３４を覆うと共に回転軸３３１を支持するように、複数のポンプ前蓋ねじ４１を介して環状部１１の第１の側面１１２に螺着されており、フランジ３１２は、環状部１１の第１の側面１１２とポンプ前蓋４０との間に挟まれている。
【００２７】
放熱蓋５０は、定位ユニット２０及びモーターユニット３０を軸線Ｌに沿って定位するようにベース１０のカバー部１２内に取り付けられている。放熱蓋５０は、定位ユニット２０の第２の端面２４に当接する裏面５１と、裏面５１の反対側にある表面５２と、軸線Ｌに沿って、表面５２から突出する凸部５３と、軸線Ｌに沿って、裏面５１から凸部５３へ延伸するよう凹設されるハウジング穴５４と、表面５２から突起するように凸部５３の周りに配置される複数の放熱フィン５５と、中間部１１４にある螺合孔１１５及び定位ユニット２０にある貫通孔２６に対応するように穿設される複数のねじ孔５６と、ねじ孔５６及び貫通孔２６を貫通して螺合孔１１５と螺合される複数の放熱蓋ねじ５７と、を有する。
【００２８】
モーターユニット３０のハウジング３１は、ハウジング穴５４に嵌め込まれて収容される。ハウジング穴５４は、ハウジング３１の中空筒３１１に対応して収容する幅広部５４１と、中空筒３１１の外延伸部３１６に対応して収容する幅狭部５４２と、を有する。
また、放熱蓋５０は、表面５２から突出して凸部５３と共に、両者の内側に配線通路５８１を画成する配線壁５８と、裏面５１から表面５２まで放熱蓋５０を貫通して配線通路５８１に連通する配線孔５８２と、を有する。
【００２９】
さらに、凸部５３及び配線壁５６が表面５２から突出する先端には、配線部５９が取り付けられている。該配線部５９には、モーターユニット３０を制御するための電線及び基板が配置されている。
【００３０】
図３と図４に示されているように、漏れ防止手段６０は、定位ユニット２０の２つの環状スロット２５内にそれぞれ嵌め込まれている２つの第１の漏れ防止環６１と、ポンプ前蓋４０とモーターユニット３０のフランジ３１２との間に挟まれている第２の漏れ防止環６２と、フランジ３１２と環状部１１の第１の側面１１２との間に挟まれている第３の漏れ防止環６３と、放熱蓋５０と放熱蓋５０に当接されるカバー部１２の端面との間に挟まれている第４の漏れ防止環６４と、を有する。
【００３１】
図４〜図６に示されているように、本実施形態の組立が完了したとき、ポンプ前蓋４０は、複数のポンプ前蓋ねじ４１を介して環状部１１の第１の側面１１２に螺着されることにより、モーターユニット３０のハウジング３１のフランジ３１２を圧してベース１０に固定する。また、放熱蓋５０は、複数の放熱蓋ねじ５７を介してベース１０の第２の側面１１３に螺着され、且つ、モーターユニット３０のハウジング３１を収容することにより、定位ユニット２０及びモーターユニット３０を定位して固定する。
【００３２】
以上の構成により、ポンプ前蓋４０がモーターユニット３０のフランジ３１２とベース１０の環状部１１に螺着されると、モーターユニット３０のハウジング３１に孔がないことによって、ハウジングからのリークを防止することができる。
【００３３】
また、ポンプ前蓋４０とフランジ３１２との間に挟まれた第２の漏れ防止環６２と、フランジ３１２と第１の側面１１２との間に挟まれた第３の漏れ防止環６３と、放熱蓋５０に当接されるカバー部１２の端面と放熱蓋５０との間に挟まれた第４の漏れ防止環６４と、を有することにより、ポンプ前蓋４０とフランジ３１２と、フランジ３１２とベース１０と、及び放熱蓋５０と放熱蓋５０に当接されるカバー部１２の端面と、の当接箇所が水密となり、上方でリークした液体が内部に滲入することを防止する効果を発揮する。
【００３４】
さらに、定位ユニット２０の２つの環状スロット２５にそれぞれ嵌め込まれた第１の漏れ防止環６１により、ベース１０と定位ユニット２０と、定位ユニット２０と放熱蓋５０と、の当接箇所が水密となり、そのため、上方でリークした液体がモーターユニット３０のステーター３２にまで滲入することができない。
【００３５】
本実施形態を使用するとき、例えば、ステーター３２を電源に電気的に接続して、ステーター３２が、ローター本体３３０を回転軸３３１により回転させる。羽根車３４がローター本体３３０に固定接続されているので、ローター本体３３０の回転に連れて、羽根車３４が回転する。これによって、液体がポンプ前蓋４０の流入口４０１から吸い込まれて、羽根車３４によって加圧され、加圧された液体がポンプ前蓋４０の流出口４０２へ流出する。これによって、液体を運送する。
【００３６】
以上のような構成とされた実施形態によれば、本考案に係るキャンドモーターポンプ装置は、ベース１０がプラスチック材料により作成されることにより、強酸性または強アルカリ性に対する耐性を得ることができ、また、定位ユニット２０が金属材料により作成されることにより、モーターユニット３０の運転による高温に耐えることができる。そのため、キャンドモーターポンプ装置は、強酸性または強アルカリ性に対する耐性を有し、且つ構造強度が高い。
【００３７】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００３８】
本考案に係るキャンドモーターポンプ装置は、強酸性または強アルカリ性に対する耐性を有するので、強酸性または強アルカリ性など腐食性がある液体を運送するためのポンプに様々な応用が可能である。
【符号の説明】
【００３９】
１０  ベース
１１  環状部
１１１  第１の内孔
１１２  第１の側面
１１３  第２の側面
１１４  中間部
１１５  螺合孔
１２  カバー部
１２１  接合孔
１２２  第１の孔部
１２３  第２の孔部
１３  支持ベース
２０  定位ユニット
２１  定位本体
２１１  第２の内孔
２２  接続部
２３  第１の端面
２４  第２の端面
２５  環状スロット
２６  貫通孔
３０  モーターユニット
３１  ハウジング
３１１  中空筒
３１２  フランジ
３１３  収容空間
３１４  軸転部
３１５  内延伸部
３１６  外延伸部
３１７  軸孔
３２  ステーター
３３  ローター
３３０  ローター本体
３３１  回転軸
３４  羽根車
４０  ポンプ前蓋
４０１  流入口
４０２  流出口
４１  ポンプ前蓋ねじ
５０  放熱蓋
５１  裏面
５２  表面
５３凸部
５４ハウジング穴
５４１  幅広部
５４２  幅狭部
５５  放熱フィン
５６  ねじ孔
５７  放熱蓋ねじ
５８  配線壁
５８１  配線通路
５８２  配線孔
５９  配線部
６０  漏れ防止手段
６１  第１の漏れ防止環
６２  第２の漏れ防止環
６３  第３の漏れ防止環
６４  第４の漏れ防止環
Ｌ  軸線
【図１】
0003225328.tif 000003
【図２】
0003225328.tif 000004
【図３】
0003225328.tif 000005
【図４】
0003225328.tif 000006
【図５】
0003225328.tif 000007
【図６】
0003225328.tif 000008